(57)【要約】【課題】ユーザが人感センサの感知範囲外にいるときに外部から供給されたコンテンツをユーザに視聴させることができる再生装置を提供する。【解決手段】本発明に係るテレビ１は、人感センサ２０によってユーザの存在が感知されていない第１の期間において、外部から供給されたコンテンツを記録媒体３０に記録する取得部１１と、人感センサ２０によってユーザの存在が感知されている第２の期間において、取得部１１により記録媒体３０に記録されたコンテンツを再生する再生部１２と、を備えている。【選択図】図１
2011205390.tif 000002
【特許請求の範囲】
【請求項１】
人感センサによってユーザの存在が感知されていない第１の期間において、外部から供給されたコンテンツを記録媒体に記録する記録手段と、
上記人感センサによってユーザの存在が感知されている第２の期間において、上記記録手段により上記記録媒体に記録されたコンテンツを再生する再生手段と、を備えている
ことを特徴とする再生装置。
【請求項２】
上記記録手段は、上記人感センサによってユーザの存在が感知されているか否かに依らず、外部から供給されたコンテンツを上記記録媒体に記録するものであり、
上記再生手段は、上記第２の期間において、上記第１の期間の始点よりも後に外部から供給されたコンテンツ、又は、上記第１の期間の始点から所定の時間だけ遡った時点よりも後に外部から供給からされたコンテンツをタイムシフト再生する、
ことを特徴とする請求項１に記載の再生装置。
【請求項３】
上記再生手段は、上記第１の期間において、外部から供給されたコンテンツの再生を行わない、
ことを特徴とする請求項１又は２に記載の再生装置。
【請求項４】
上記再生手段は、上記第１の期間において、外部から供給された動画コンテンツを構成するコマ画像の何れかを静止画像として再生する、
ことを特徴とする請求項１又は２に記載の再生装置。
【請求項５】
上記再生手段は、上記第１の期間の始点よりも後に外部から供給されたコンテンツ、又は、上記第１の期間の始点から所定の時間だけ遡った時点よりも後に外部から供給からされたコンテンツを、上記第２の期間において高速再生する、
ことを特徴とする請求項１から４までの何れか１項に記載の再生装置。
【請求項６】
上記再生手段は、上記第１の期間の始点よりも後に外部から供給されたコンテンツ、又は、上記第１の期間の始点から所定の時間だけ遡った時点よりも後に外部から供給からされたコンテンツを、上記第２の期間においてスキップ再生する、
ことを特徴とする請求項１から４までの何れか１項に記載の再生装置。
【請求項７】
上記再生手段により再生された映像コンテンツを表示するディスプレイであって、第１の動作モード、又は、上記第１の動作モードよりも消費電力の小さい第２の動作モードで動作するディスプレイと、
上記第１の期間において、上記ディスプレイを上記第２の動作モードで動作させる制御手段と、を更に備えている、
ことを特徴とする請求項１に記載の再生装置。
【請求項８】
人感センサを備えた再生装置においてコンテンツを再生する再生方法であって、
上記人感センサによってユーザの存在が感知されていない第１の期間において、外部から供給されたコンテンツを記録媒体に記録する記録ステップと、
上記人感センサによってユーザの存在が感知されている第２の期間において、上記記録ステップにて上記記録媒体に記録されたコンテンツを再生する再生ステップと、を含んでいる
ことを特徴とする再生方法。
【請求項９】
コンピュータを請求項１から７までの何れか１項に記載の再生装置として動作させるためのプログラムであって、上記コンピュータを上記再生装置の各手段として機能させるプログラム。
【請求項１０】
請求項９に記載のプログラムを記録したコンピュータ読み取り可能な記録媒体。
【発明の詳細な説明】
【技術分野】
【０００１】
本発明は、人感センサを備えた再生装置に関する。また、そのような再生装置においてコンテンツを再生する再生方法に関する。更に、そのような再生装置としてコンピュータを動作させるためのプログラム、及び、そのようなプログラムが記録された記録媒体に関する。
【背景技術】
【０００２】
近年、人感センサを備えた再生装置が、広く用いられている。このような再生装置は、人感センサを用いてユーザの存在を感知し、感知結果に応じた制御を行う。
【０００３】
例えば、非特許文献１に記載のテレビは、人感センサによってユーザの存在が感知されていない期間、バックライトを消灯することによって、消費電力を削減する。
【０００４】
また、特許文献１に記載のテレビは、人感センサによってユーザの存在が感知されていない期間、黒画面やスクリーンセーバを表示することによって、ディスプレイの焼き付きを軽減する。
【先行技術文献】
【特許文献】
【０００５】
【特許文献１】特開２００９−９２９３７号公報（平成２１年４月３０日公開）
【非特許文献】
【０００６】
【非特許文献１】［online］、ソニー、（平成２１年１１月１３日検索）、インターネット<http://www.sony.jp/bravia/shoene/index02.html>
【発明の概要】
【発明が解決しようとする課題】
【０００７】
人感センサを備えた従来のテレビは、人感センサによってユーザの存在が感知されない期間に放送又は配信されたコンテンツを再生することなく破棄する。このため、人感センサを備えた従来のテレビにおいては、ユーザが人感センサの感知範囲外にいるときに放送または配信されたコンテンツを、そのユーザに視聴させることができないという問題があった。すなわち、人感センサを備えた従来のテレビは、テレビの前から離れているときに放送または配信されたコンテンツを視聴したいというユーザの要望に応えられないという問題があった。このような問題は、放送または配信されたコンテンツを再生するテレビに限らず、外部から供給されたコンテンツを再生する再生装置において、一般に生じ得る問題である。
【０００８】
本発明は、上記の課題を解決するためになされたものであり、その目的は、ユーザが人感センサの感知範囲外にいるときに外部から供給されたコンテンツを、ユーザに視聴させることができる再生装置を実現することにある。
【課題を解決するための手段】
【０００９】
本発明に係る再生装置は、上記課題を解決するために、人感センサによってユーザの存在が感知されていない第１の期間において、外部から供給されたコンテンツを記録媒体に記録する記録手段と、上記人感センサによってユーザの存在が感知されている第２の期間において、上記記録手段により上記記録媒体に記録されたコンテンツを再生する再生手段とを備えていることを特徴としている。
【００１０】
上記の構成によれば、上記人感センサによってユーザの存在が感知されていないとき（第１の期間）に外部から供給されたコンテンツを、上記人感センサによってユーザの存在が感知されているとき（第２の期間）に再生することができる。すなわち、ユーザが人感センサの感知範囲外にいるときに外部から供給されたコンテンツを、ユーザに視聴させることができる。
【００１１】
本発明に係る再生装置において、上記記録手段は、上記人感センサによってユーザの存在が感知されているか否かに依らず、外部から供給されたコンテンツを上記記録媒体に記録するものであり、上記再生手段は、上記第２の期間において、上記第１の期間の始点よりも後に外部から供給されたコンテンツ、又は、上記第１の期間の始点から所定の時間だけ遡った時点よりも後に外部から供給からされたコンテンツをタイムシフト再生することが好ましい。
【００１２】
上記第２の期間において、上記第１の期間の始点よりも後に外部から供給されたコンテンツをタイムシフト再生する場合、ユーザが人感センサの感知範囲外に出た後に外部から供給されたコンテンツが、ユーザが人感センサの感知範囲内に戻った後に再生される。このため、ユーザは、人感センサの感知範囲内に戻った後、人感センサの感知範囲外に出る前に視聴していたコンテンツの続きを視聴することができる。
【００１３】
また、上記第２の期間において、上記第１の期間の始点から所定の時間だけ遡った時点よりも後に外部から供給からされたコンテンツをタイムシフト再生する場合、ユーザが人感センサの感知範囲外に出た時点から所定の時間だけ遡った時点よりも後に外部から供給されたコンテンツが、ユーザが人感センサの感知範囲内に戻った後に再生される。すなわち、ユーザが人感センサの感知範囲外に出た後に外部から供給されたコンテンツに加えて、ユーザが人感センサの感知範囲外に出る直前（所定の時間だけ前）に外部から供給されたコンテンツが、ユーザが人感センサの感知範囲内に戻った後に再生される。このため、ユーザは、人感センサの感知範囲内に戻った後、人感センサの感知範囲外に出る前に視聴していたコンテンツの続きを視聴することができ、さらに、人感センサの感知範囲外に出る前に視聴していたコンテンツの続きを視聴しているというより強い印象をもつことができる。
【００１４】
本発明に係る再生装置において、上記再生手段は、上記第１の期間において、外部から供給されたコンテンツの再生を行わないことが好ましい。
【００１５】
上記の構成によれば、外部から供給されたコンテンツの再生を行う場合と比較して、上記第１の期間における消費電力を削減することができる。
【００１６】
本発明に係る再生装置において、上記再生手段は、上記第１の期間において、外部から供給された動画コンテンツを構成するコマ画像の何れかを静止画像として再生することが好ましい。
【００１７】
上記の構成によれば、外部から供給されたコンテンツを動画像として再生する場合と比較して、上記第１の期間における消費電力を削減することができる。また、上記第１の期間においても、動画コンテンツの内容をユーザに知らしめることができる。
【００１８】
本発明に係る再生装置において、上記再生手段は、上記第１の期間の始点よりも後に外部から供給されたコンテンツ、又は、上記第１の期間の始点から所定の時間だけ遡った時点よりも後に外部から供給からされたコンテンツを、上記第２の期間において高速再生することが好ましい。
【００１９】
上記の構成によれば、ユーザが人感センサの感知範囲外に出た後に外部から供給されたコンテンツの全部をユーザに提示した上で、リアルタイム再生に復帰することができる。なお、高速再生とは、記録速度を上回る再生速度でコンテンツを再生する再生態様のことを指す。
【００２０】
本発明に係る再生装置において、上記再生手段は、上記第１の期間の始点よりも後に外部から供給されたコンテンツ、又は、上記第１の期間の始点から所定の時間だけ遡った時点よりも後に外部から供給からされたコンテンツを、上記第２の期間においてスキップ再生することが好ましい。
【００２１】
上記の構成によれば、ユーザが人感センサの感知範囲外に出た後に外部から供給されたコンテンツの一部を視聴し易い状態でユーザに提示した上で、リアルタイム再生に復帰することができる。なお、スキップ再生とは、コンテンツの一部分（例えばＣＭ部分）を除いて再生する再生態様のことを指す。
【００２２】
本発明に係る再生装置は、上記再生手段により再生された映像コンテンツを表示するディスプレイであって、第１の動作モード、又は、上記第１の動作モードよりも消費電力の小さい第２の動作モードで動作するディスプレイと、上記第１の期間において、上記ディスプレイを上記第２の動作モードで動作させる制御手段と、を更に備えていることが好ましい。
【００２３】
上記の構成によれば、上記第１の期間において、上記ディスプレイが上記第１の動作モードで動作し続ける場合と比較して、消費電力を削減することができる。なお、上記第１の期間は、ユーザが人感センサの感知範囲外に居る期間であるため、ディスプレイをより消費電力の小さい上記第２の動作モードで動作させることによって表示品質の低下が生じたとしても、ユーザに不快感を与えることはない。
【００２４】
本発明に係る再生方法は、人感センサを備えた再生装置においてコンテンツを再生する再生方法であって、上記人感センサによってユーザの存在が感知されていない第１の期間において、外部から供給されたコンテンツを記録媒体に記録する記録ステップと、上記人感センサによってユーザの存在が感知されている第２の期間において、上記記録ステップにて上記記録媒体に記録されたコンテンツを再生する再生ステップとを含んでいることを特徴としている。
【００２５】
上記の構成によれば、上記人感センサによってユーザの存在が感知されていないとき（第１の期間）に外部から供給されたコンテンツを、上記人感センサによってユーザの存在が感知されているとき（第２の期間）に再生することができる。すなわち、ユーザが人感センサの感知範囲外にいるときに外部から供給されたコンテンツを、ユーザに視聴させることができる。
【００２６】
なお、本発明に係る再生装置を動作させるためのプログラムであって、コンピュータを上記の各手段として機能させることを特徴とするプログラム、及び、それらのプログラムを記録したコンピュータ読み取り可能な記録媒体も本発明の範疇に含まれる。
【発明の効果】
【００２７】
本発明に係る再生装置は、以上のように、人感センサによってユーザの存在が感知されていない第１の期間において、外部から供給されたコンテンツを記録媒体に記録する記録手段と、上記人感センサによってユーザの存在が感知されている第２の期間において、上記記録手段により上記記録媒体に記録されたコンテンツを再生する再生手段とを備えている。
【００２８】
また、本発明に係る再生方法は、以上のように、人感センサを備えた再生装置において、コンテンツを再生する再生方法であって、人感センサによってユーザの存在が感知されていない第１の期間において、外部から供給されたコンテンツを記録媒体に記録する記録ステップと、上記人感センサによってユーザの存在が感知されている第２の期間において、上記記録ステップにて上記記録媒体に記録されたコンテンツを再生する再生ステップとを含んでいる。
【００２９】
これにより、ユーザが人感センサの感知範囲外にいるときに外部から供給されたコンテンツを、ユーザに視聴させることができる。
【図面の簡単な説明】
【００３０】
【図１】本発明の一実施形態に係るテレビの構成を示すブロック図である。
【図２】図１に示すテレビの第１の動作例を示すシーケンス図である。
【図３】図１に示すテレビの第２の動作例を示すシーケンス図である。
【図４】図１に示すテレビの第３の動作例を示すシーケンス図である。
【発明を実施するための形態】
【００３１】
本発明の実施形態に係る再生装置について、図１〜図４を参照して説明すれば以下のとおりである。なお、本実施形態に係る再生装置は、テレビジョン受像機として実現されているため、以下これをテレビと呼称する。
【００３２】
〔テレビの構成〕
まず、本実施形態に係るテレビ１（再生装置）の構成について、図１を参照して説明する。図１は、テレビ１の構成を示すブロック図である。
【００３３】
テレビ１は、図１に示すように、制御部１０（制御手段）、人感センサ２０（人感センサ）、記録媒体３０、ディスプレイ４０（ディスプレイ）、及び、スピーカ５０を備えている。
【００３４】
制御部１０は、外部から供給されたコンテンツを取得する取得部１１（記録手段）と、取得部１１が取得したコンテンツを再生する再生部１２（再生手段）とを含んでいる。本実施形態においては、外部から供給されるコンテンツとして、放送局から放送される映像コンテンツを想定するが、これに限定されるものではない。例えば、外部から供給されるコンテンツは、インターネットを介して接続されたＶＯＤ（Video On Demand）サーバから配信される映像コンテンツであってもよいし、ホームネットワークを介して接続されたＤＬＮＡサーバから供給される音声コンテンツであってもよい。
【００３５】
取得部１１は、記録媒体３０に取得したコンテンツを記録し、再生部１２は、記録媒体３０に記録されたコンテンツを再生する。本実施形態においては、記録媒体３０として、フラッシュメモリを利用するが、これに限定されるものではない。例えば、ＤＶＤ（Digital Versatile Disc）、ＢＤ（Blu-ray Disc）、ＨＤ（Hard Disc）などを記録媒体３０として利用してもよい。また、本実施形態においては、記録媒体３０をリングバッファとして利用する。この場合、記録媒体３０の容量（リングバッファとして利用可能な空き容量）をＭ〔ｂｉｔ〕とし、コンテンツの供給速度をｍ〔ｂｐｓ〕とすると、再生部１２は、Ｍ／ｍ〔ｓ〕前までに外部から供給されたコンテンツを記録媒体３０から読み出して再生することができる。なお、記録媒体３０をリングバッファとして利用する場合には、アドレス管理用のＲＡＭ（Random Access Memory）を併用するとよい。
【００３６】
ディスプレイ４０及びスピーカ５０は、再生部１２によって再生されたコンテンツを出力するための手段である。ディスプレイ４０としては、例えば、ＬＣＤ（Liquid Crystal Display）、ＥＬ（Electro Luminescence）ディスプレイ、プラズマディスプレイ、ＣＲＴ（Cathode Ray Tube）などを利用することができる。また、スピーカ５０としては、テレビ１に内蔵可能な小型スピーカなどを利用することができる。コンテンツが映像コンテンツである場合、再生部１２によって再生された映像がディスプレイ４０から出力され、コンテンツデータが音声コンテンツである場合、再生部１２によって再生された音声がスピーカ５０から出力される。
【００３７】
人感センサ２０は、周囲にユーザが存在するか否かを感知するための手段である。人感センサ２０は、例えば、熱源の移動を検出することによって、あるいは、熱源の温度と周囲の温度との差を検出することによって、周囲にユーザが存在するか否かを感知する。ここで、人感センサの「周囲」とは、人感センサの感知範囲のことを指す。
【００３８】
本実施形態に係るテレビ１において、取得部１１は、人感センサ２０によってユーザの存在が感知されていない期間である不在期間に、外部から供給されたコンテンツを記録媒体３０に記録する。一方、再生部１２は、人感センサ２０によってユーザの存在が感知されている期間に、記録媒体３０に記録されているコンテンツ、すなわち、不在期間に外部から供給されたコンテンツを再生する。これにより、ユーザは、テレビ１の前から離れているときに放送されたコンテンツを、テレビ１の前に戻ってから視聴することができる。
【００３９】
〔テレビの動作例１〕
次に、図１に示すテレビ１の第１の動作例について、図２を参照して説明する。図２は、時刻ｔ０において、ユーザがリモコンの電源ボタンを押下し、時刻ｔ１において、ユーザがテレビ１の前を離れ、時刻ｔ２において、ユーザがテレビ１の前に戻った場合のテレビ１の動作例を示すシーケンス図である。時刻ｔ０から時刻ｔ１までの期間Ｔ１、時刻ｔ１から時刻ｔ２までの期間Ｔ２、及び、時刻ｔ２以降の期間Ｔ３におけるテレビ１の動作例について説明すれば以下のとおりである。
【００４０】
なお、図２において、＃ｈは、人感センサ２０の感知結果を示す。また、＃ｂは、取得部１１が外部から取得する動画像コンテンツ（データ）を示し、＃ｒは、取得部１１が記録媒体３０に記録する動画像コンテンツ（データ）を示す。また、＃ｐは、再生部１２が記録媒体３０から読み出す動画像コンテンツ（データ）を示し、＃ｙは、再生部１２が再生した動画像コンテンツ（すなわち、ディスプレイ４０が出力する動画像コンテンツ）を示す。図２においては、単位時間（ここでは「１秒間」）あたりに処理されるフレームからなるフレーム群を、それぞれ、フレーム群Ｐ１、フレーム群Ｐ２、フレーム群Ｐ３、・・・と表記している。
【００４１】
（期間Ｔ１）
図２に示すように、時刻ｔ０においてテレビ１が動作を開始すると、取得部１１は、人感センサ２０によってユーザの存在が感知されなくなる時刻ｔ１までの期間Ｔ１において、外部から供給されたパケット（フレーム群Ｐ１〜Ｐ３を再生するために参照されるパケット）を、逐次、記録媒体３０に記録する。ここで、各パケットを記録媒体３０に記録するタイミングは、それぞれ、そのパケットを外部から取得するタイミングと略同時である。すなわち、取得部１１は、期間Ｔ１において、外部から供給されたコンテンツをリアルタイム記録する。
【００４２】
また、図２に示すように、テレビ１が動作を開始する時刻ｔ０において人感センサ２０によってユーザの存在が感知されている場合、再生部１２は、期間Ｔ１において、記録媒体３０に記録されたパケット（フレーム群Ｐ１〜Ｐ３を再生するために参照されるパケット）を読み出し、フレーム群Ｐ１〜Ｐ３を再生する。ここで、各パケットを読み出すタイミングは、そのパケットを外部から取得するタイミングと略同時である。すなわち、再生部１２は、期間Ｔ１において、外部から供給されるコンテンツをリアルタイム再生する。
【００４３】
再生部１２は、人感センサ２０によってユーザの存在が感知されなくなった時刻ｔ１において、記録媒体３０からのコンテンツの読み出しを停止する。その結果、ディスプレイ４０からのコンテンツの出力が停止される。この際、再生部１２は、記録媒体３０から最後に読み出したパケットのタイムスタンプをＲＡＭ等に記憶させる。ＲＡＭ等に記憶されたタイムスタンプは、後述するように、記録媒体３０からのコンテンツの読み出しを再開する際に、再生部１２によって参照される。
【００４４】
（期間Ｔ２）
図２に示すように、取得部１１は、人感センサ２０によってユーザの存在が感知されていない時刻ｔ１から時刻ｔ２までの期間Ｔ２（第１の期間）において、外部から供給されたパケット（フレーム群Ｐ４〜Ｐ８を再生するために参照されるパケット）を、逐次、記録媒体３０に記録する。ここで、各パケットを記録媒体３０に記録するタイミングは、そのパケットを外部から取得するタイミングと略同時である。すなわち、取得部１１は、期間Ｔ２においても、外部から供給されたコンテンツをリアルタイム記録する。
【００４５】
また、図２に示すように、再生部１２は、期間Ｔ２において、記録媒体３０からのコンテンツの読み出しを行わない。また、図２に示すように、ディスプレイ４０は、期間Ｔ２において、コンテンツの出力を行わない。換言すれば、再生部１２は、期間Ｔ２において、コンテンツの再生をミュートする。また、制御部１０は、期間Ｔ２において、ディスプレイ４０のバックライトを消灯するなどして、ディスプレイ４０の動作モードを、通常モード（第１の動作モード）から、通常モードよりも消費電力の少ない省電力モード（第２の動作モード）に切り替える。なお、ディスプレイ４０がＬＣＤである場合、バックライトを消灯する（バックライトへの電力供給を停止する）動作モードに代えて、バックライトの照度を低下させる（バックライトへの電力供給を抑制する）動作モードを省電力モードとしてもよい。また、ディスプレイ４０がＥＬディスプレイである場合には、ＥＬディスプレイ自体への電力供給を停止または抑制する動作モードを省電力モードとすればよいし、ディスプレイ４０がプラズマディスプレイである場合には、プラズマディスプレイ自体への電力供給を停止または抑制する動作モードを省電力モードとすればよい。
【００４６】
なお、外部から供給されるコンテンツが動画コンテンツである場合、期間Ｔ２においてコンテンツの再生をミュートする構成の代わりに、期間Ｔ２においてコンテンツの再生をポーズする構成を採用してもよい。ここで、動画コンテンツの再生をポーズするとは、その動画コンテンツを構成するフレーム（コマ画像）の何れかを静止画像として再生することを指す。本動作例に即して言えば、再生部１２が期間Ｔ１において最後に生成したフレーム（図２においてはＰ３と表記）を静止画像として再生する。なお、期間Ｔ２においてコンテンツの再生をポーズする構成を採用する場合には、期間Ｔ２におけるバックライトの消灯は行わない。
【００４７】
（期間Ｔ３）
図２に示すように、取得部１１は、人感センサ２０によってユーザの存在が感知されている時刻ｔ２以降の期間Ｔ３（第２の期間）において、外部から供給されたパケット（フレーム群Ｐ９〜Ｐ１５を再生するために参照されるパケット）を、逐次、記録媒体３０に記録する。ここで、各パケットを記録媒体３０に記録するタイミングは、そのパケットを外部から取得するタイミングと略同時である。すなわち、取得部１１は、期間Ｔ３においても、外部から供給されたコンテンツをリアルタイム記録する。
【００４８】
また、図２に示すように、再生部１２は、期間Ｔ３において、記録媒体３０に記録されたパケット（フレーム群Ｐ２〜Ｐ８を再生するために参照されるパケット）を読み出し、フレーム群Ｐ２〜Ｐ８を再生する。すなわち、再生部１２は、期間Ｔ３において、期間Ｔ２の始点である時刻ｔ１から所定の時間Δｔ（ここではΔｔ＝２秒）だけ遡った時刻ｔ１−Δｔよりも後に外部から供給されたコンテンツをタイムシフト再生する。なお、再生部１２は、期間Ｔ３において最初に読み出すパケットを、ＲＡＭ等に記憶されたタイムスタンプ（期間Ｔ１において最後に読み出したパケットに付与されていたタイムスタンプ）から決定する。すなわち、再生部１２は、ＲＡＭ等に記憶されたタイムスタンプに対応する時刻よりも所定の時間Δｔだけ遡った時刻に対応するタイムスタンプを有するパケットを期間Ｔ３において最初に読み出す。
【００４９】
なお、本動作例においては、期間Ｔ３において、期間Ｔ２の始点である時刻ｔ１よりも所定の時間Δｔだけ遡った時刻ｔ１−Δｔよりも後に外部から供給されたコンテンツ（フレームＰ２〜Ｐ８）をタイムシフト再生する構成を採用したが、本発明はこれに限定されるものではない。すなわち、例えば、期間Ｔ３において、期間Ｔ２の始点である時刻ｔ１よりも後に外部から供給されたコンテンツ（フレームＰ４〜Ｐ８）をタイムシフト再生する構成を採用してもよい。何れの構成であっても、ユーザは、テレビ１の前から離れる前に視聴していたコンテンツの続きを、テレビ１の前に戻った後に視聴することができる。ただし、前者の構成を採用した場合、テレビ１の前に戻った後に再生されたコンテンツが、テレビ１の前を離れる前に再生されたコンテンツの続きであることを、よりはっきりとユーザに知らしめることができる。
【００５０】
〔テレビの動作例２〕
図２に示すように、期間Ｔ３（第２の期間）において再生部１２がコンテンツを通常の再生速度（記録速度と等しい再生速度）で再生する構成に代えて、図３に示すように、期間Ｔ３（第２の期間）において再生部１２がコンテンツを通常よりも速い再生速度（記録速度よりも速い再生速度）で再生（高速再生）する構成を採用してもよい。
【００５１】
この場合、図３に示すように、再生部１２は、再生されるフレームが外部から供給されるフレームに追いつくまで、記録媒体３０に記憶されたコンテンツ（フレームＰ２〜フレームＰ１３）を高速再生し、その後、外部から供給されるコンテンツをリアルタイム再生する。
【００５２】
このように、期間Ｔ３において再生部１２がコンテンツを通常よりも速い再生速度で再生する構成を採用した場合、ユーザがテレビ１の前から離れていた間に外部から供給されたコンテンツ（フレームＰ４〜Ｐ８）を欠落なくユーザに提示したうえで、リアルタイム再生に復帰することができる。
【００５３】
〔テレビの動作例３〕
図２に示すように、期間Ｔ３（第２の期間）において再生部１２がコンテンツを連続的に再生する構成に代えて、図４に示すように、期間Ｔ３（第２の期間）において再生部１２がコンテンツを間欠的に再生（スキップ再生）する構成を採用してもよい。
【００５４】
この場合、図３に示すように、再生部１２は、再生されるフレームが外部から供給されるフレームに追いつくまで、予め定められた条件に該当するフレーム群（フレーム群Ｐ２、Ｐ４、Ｐ５、Ｐ８）をスキップし、同条件に該当しないフレーム群（フレーム群ｐ３、ｐ６、ｐ７、ｐ９〜ｐ１２）を選択的に再生する。どのようなフレーム群をスキップする構成であってもよいが、例えば、ＣＭを構成するフレーム群をスキップする構成などが有効である。この場合、あるフレームがＣＭを構成するフレームであるか否かの判定には、公知の方法を利用すればよい。
【００５５】
このように、期間Ｔ３において再生部１２がコンテンツを間欠的に再生する構成を採用した場合、ユーザがテレビ１の前から離れていた間に外部から供給されたコンテンツの一部（フレーム群Ｐ４、Ｐ４、Ｐ８）を通常の再生速度でユーザに提示したうえで、リアルタイム再生に復帰することができる。
【００５６】
〔プログラム及び記録媒体〕
最後に、テレビ１の制御部１０は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００５７】
すなわち、テレビ１の制御部１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００５８】
この記録媒体は、上述した各機能を実現する制御プログラムのプログラムコード（実行形式プログラム、中間コードプログラム、ソースプログラム）をコンピュータで読み取り可能に記録していればよい。これにより、制御部１０（またはＣＰＵやＭＰＵ）が、供給された記録媒体に記録されているプログラムコードを読み出し、実行すればよい。
【００５９】
プログラムコードを制御部１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６０】
また、テレビ１は通信ネットワークと接続可能に構成されているため、上記のプログラムコードを、通信ネットワークを介してテレビ１に供給することができる。この通信ネットワークはテレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００６１】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００６２】
なお、本発明は上述した本実施形態に限定されるものではなく、請求項に示した範囲で種々の変更が可能である。
【産業上の利用可能性】
【００６３】
本発明は、人感センサを備えたテレビなどに好適に利用することができる。また、人感センサを備えたテレビに接続されるＡＶ機器等にも利用することができる。
【符号の説明】
【００６４】
１      テレビ（再生装置）
１０    制御部（制御手段）
１１    取得部（記録手段）
１２    再生部（再生手段）
２０    人感センサ（人感センサ）
３０    記録媒体
４０    ディスプレイ（ディスプレイ）
５０    スピーカ
【図１】
2011205390.tif 000003
【図２】
2011205390.tif 000004
【図３】
2011205390.tif 000005
【図４】
2011205390.tif 000006